(57)【特許請求の範囲】
【請求項１】
入賞装置と遊技制御基板とを備えるパチンコ遊技機において、
前記入賞装置は、
入賞口と、
複数の縦溝を有し、前記入賞口の下端を回転軸として前後方向へ回動し、前記入賞口を開閉する開閉扉と、
前記開閉扉を駆動する開閉扉駆動機構と、
前記開閉扉の前記縦溝内を通過可能に構成され、前記入賞口の下端を回転軸として前後方向へ回動する可動釘と、
前記可動釘を駆動する可動釘駆動機構とを備え、
前記遊技制御基板は、特別遊技状態のラウンド数に応じて、前記開閉扉駆動機構及び前記可動釘駆動機構を制御し、
前記可動釘を前記開閉扉の前記縦溝内に収容して前記開閉扉及び前記可動釘を共に略水平状態に維持し、遊技球を入球可能に前記入賞口を開状態にする第１入賞パターンと、
前記可動釘を前記開閉扉の前記縦溝内から離脱し、前記開閉扉を倒伏した略鉛直状態に維持しかつ前記可動釘を略水平状態に維持し、前記第１入賞パターンより入球しにくい状態として、遊技球を入球可能に前記入賞口を開状態にする第２入賞パターンと、
を生成することを特徴とするパチンコ遊技機。
【発明の詳細な説明】
【技術分野】
【０００１】
本発明は、パチンコ遊技機、詳しくは、入賞装置と遊技制御基板を備えるパチンコ遊技機に関する。
【背景技術】
【０００２】
パチンコ遊技機として、入賞装置と遊技制御基板とを備え、入賞装置は、入賞口と、入賞口の下端に回転軸を有し前後方向へ回動し、入賞口を開閉する開閉扉と、開閉扉を駆動する開閉扉駆動機構とを備えるパチンコ遊技機が知られている。
【０００３】
この種のパチンコ遊技機の遊技制御基板は、通常の遊技状態では開閉扉を閉じ入賞口を閉状態に維持して入賞口への遊技球の入球を禁止し、また、遊技者に特典を与える特別遊技状態が発生すると、所定ラウンド数だけ、開閉扉を開き入賞口を開放状態に維持して入賞口への遊技球の入球を許容するよう開閉扉駆動機構を制御する。なお、本願に先立ち、先行技術を調査したところ、特許文献１を見出した。
【特許文献１】特開２００６−３２０４０３公報
【発明の開示】
【発明が解決しようとする課題】
【０００４】
しかし、従来のパチンコ遊技機は、特別遊技状態のラウンド数によることなく、入賞口の開放時には、単に開閉扉を開いて入賞口への遊技球の入球を容易にしているのみであり、このため、遊技者に対して、開閉扉が開いていても遊技球が入賞口に入球できるかどうか一喜一憂させることはできなかった。
【０００５】
本発明は、上記の点にかんがみなされたものであり、特別遊技状態のラウンド数に応じて、開閉扉が開状態であっても遊技球が入賞口に入球できるかどうか不明な状況を作り出し、遊技者を一喜一憂させることができるパチンコ遊技機を提供することを目的とする。
【課題を解決するための手段】
【０００６】
本発明のパチンコ遊技機は、入賞装置と遊技制御基板とを備えるパチンコ遊技機において、前記入賞装置は、入賞口と、複数の縦溝を有し、前記入賞口の下端を回転軸として前後方向へ回動し、前記入賞口を開閉する開閉扉と、前記開閉扉を駆動する開閉扉駆動機構と、前記開閉扉の前記縦溝内を通過可能に構成され、前記入賞口の下端を回転軸として前後方向へ回動する可動釘と、前記可動釘を駆動する可動釘駆動機構とを備え、前記遊技制御基板は、特別遊技状態のラウンド数に応じて、前記開閉扉駆動機構及び前記可動釘駆動機構を制御し、前記可動釘を前記開閉扉の前記縦溝内に収容して前記開閉扉及び前記可動釘を共に略水平状態に維持し、遊技球を入球可能に前記入賞口を開状態にする第１入賞パターンと、前記可動釘を前記開閉扉の前記縦溝内から離脱し、前記開閉扉を倒伏した略鉛直状態に維持しかつ前記可動釘を略水平状態に維持し、前記第１入賞パターンより入球しにくい状態として、遊技球を入球可能に前記入賞口を開状態にする第２入賞パターンと、
を生成することを特徴とする。
【０００７】
本発明によると、従来と同様な第１入賞パターンのほかに、第１入賞パターンより入球しにくい第２入賞パターンを生成し、第２入賞パターンにおいては、開閉扉が開いていても、水平状態の可動釘に遊技球が当たる角度によって、遊技球が可動釘で受止められ入賞口の内部に誘導される場合と、遊技球が可動釘で跳ね返され入賞口の内部に誘導されない場合を発生させることができるため、開閉扉が開いていても遊技球が入賞口に入球できるかどうか不明な状況をつくり、遊技者を一喜一憂させることができる。
【発明を実施するための最良の形態】
【０００８】
以下、本発明の実施形態を図面に基づいて説明する。
【０００９】
図１は、本発明の一実施形態に係るパチンコ遊技機の遊技盤の正面図、図２は、入賞装置の分解斜視図、図３は、入賞装置の可動釘及び可動釘駆動機構の斜視図であって、可動釘が非作動状態であるときの斜視図、図４は、入賞装置の可動釘及び可動釘駆動機構の斜視図であって、可動釘が作動状態つまり略水平状態であるときの斜視図、図５は、入賞装置の可動釘及び可動釘駆動機構の側面図であって、可動釘が非作動状態であるときの側面図、図６は、入賞装置の可動釘及び可動釘駆動機構の側面図であって、可動釘が作動状態つまり略水平状態であるときの側面図、図７は、入賞装置の開閉扉及び開閉扉駆動機構の斜視図であって、開閉扉が非作動状態つまり閉状態であるときの斜視図、図８は、入賞装置の開閉扉及び開閉扉駆動機構の斜視図であって、開閉扉が略水平状態であるときの斜視図、図９は、入賞装置の開閉扉及び開閉扉駆動機構の斜視図であって、開閉扉が倒伏した略鉛直状態であるときの斜視図、図１０は、入賞装置が非作動状態であるときの可動釘及び開閉扉の状態を示す斜視図、図１１は、入賞装置が第１入賞パターンであるときの可動釘及び開閉扉の状態を示す斜視図、図１２は、入賞装置が第２入賞パターンであるときの可動釘及び開閉扉の状態を示す斜視図、図１３は、パチンコ遊技機の電気系統のブロック図、図１４は、遊技制御基板が実行する大入賞口処理の一部のフローチャート、図１５は、同大入賞口処理の残りの一部のフローチャート、図１６は、同大入賞口処理の残部のフローチャート、図１７は、遊技制御基板が実行する大入賞口スイッチ処理のフローチャートをそれぞれ示す。
【００１０】
図１において、パチンコ遊技機の遊技盤１は、遊技者がハンドル（図示せず）を操作することによって発射された遊技球が転動しながら落下してゆく遊技領域２を備える。
【００１１】
遊技領域２には、２つの普通入賞口４A、４B、２つのゲート５A、５B、２つの始動入賞口６A、６B、アウト口７、入賞装置１００の正面プレート１１などが配設される。
【００１２】
遊技領域２の中央部に画像表示装置３が配される。画像表示装置３は、液晶表示器などで構成され、表示画面３aに、公知のデモ表示、始動入賞口６A、６Bへの入賞に基づく図柄変動表示、リーチ演出、大当たり演出などが行われる。
【００１３】
その他、遊技盤１には、４つの保留ランプ８、普通図柄表示器９及び特別図柄表示器１０などが配設される。
【００１４】
図２〜図１２において、入賞装置１００は、遊技盤面１に固定される正面プレート１１を備える。正面プレート１１の上部には、横長な長四角形状の入賞口１２が形成されている。入賞口１２の下方には、後述するように、入賞装置１００が第２入賞パターンであるときの開閉扉１３を収容する凹部１４が形成されている。
【００１５】
正面プレート１１の入賞口１２に開閉扉１３が配される。開閉扉１３は、入賞口１２を閉塞可能な長四角形状の薄板部材１５で構成されており、薄板部材１５には、複数（本実施形態では２つ）の縦溝１６が形成されている。各縦溝１６は、薄板部材１５の基部１５ａ側に開口しており、各縦溝１６に、後述する可動釘３１が回動可能に収容される。薄板部材１５の基部１５ａかつ左端面及び右端面には、それぞれ水平軸部１７が突設されている（左端面側の水平軸部は図示されていない。）。各水平軸部１７は、正面プレート１１の裏面側において入賞口１２の左下端近傍及び右下端近傍にそれぞれ形成された軸受部（図示せず。）に回動自在に支持される。
【００１６】
右端面側の水平軸部１７には、小径ギヤ１８が固着されている。小径ギヤ１８には、第１大径ギヤ１９が噛み合わされ、第１大径ギヤ１９に第２大径ギヤ２０が噛み合わされる。第２大径ギヤ２０は、電動モータ２１の出力軸２１ａに固着される。電動モータ２１は正転及び逆転可能であり、正転時には、第２大径ギヤ２０、第１大径ギヤ１９及び小径ギヤ１８を介して水平軸部１７を前方へ回転（正転）させ、開閉扉１３を前方へ回動させ、逆転時には、正転時と同様第２大径ギヤ２０等を介して水平軸部１７を後方へ回転（逆転）させ、開閉扉１３を後方へ回動させる。水平軸部１７、小径ギヤ１８、第１大径ギヤ１９、第２大径ギヤ２０及び電動モータ２１は、開閉扉１３を回動する開閉扉駆動機構４８を構成する。
【００１７】
開閉扉１３の各縦溝１６には、可動釘３１が収容される。各可動釘３１の基部３１ａは、左右方向へ延びる１本の水平軸３２に固着されている。水平軸３２は、正面プレート１１の裏面側において入賞口１２の左下端近傍及び右下端近傍にそれぞれ形成された軸受部（図示せず。）に回動自在に支持される。水平軸３２の左端部には、受動カム３３が固着されている。受動カム３３は、駆動カム３４と係合する受圧部３３ａを有する。駆動カム３４は、受動カム３３の受圧部３３ａを上方から押え付ける押圧部３４ａと、正面プレート１１の裏面側に形成された軸受部（図示せず。）に回動自在に支持される軸部３４ｂと、電磁ソレノイド３５のプランジャー３６の凹部３７に係止され、プランジャー３６の進退動に追従して軸部３４ｂを中心に回動する係合部３４ｃとを有する。水平軸３２、受動カム３３、駆動カム３４、電磁ソレノイド３５及びプランジャー３６は、可動釘３１を回動する可動釘駆動機構４９を構成する。
【００１８】
正面プレート１１の裏面側に、通路部材４１が配される。通路部材４１は、正面プレート１１の入賞口１２の下端に連続し、入賞口１２に入球した遊技球を後方（奥方向）へ誘導する後下がり傾斜面４２と、後下がり傾斜面４２の左右方向中央部の後方に連続し、遊技球を左右方向へ振り分ける左下がり傾斜面４３及び右下がり傾斜面４４と、左下がり傾斜面４３及び右下がり傾斜面４４の後方に立設され、遊技球を受止める垂直壁部４５と、左下がり傾斜面４３の左方に配され、後下がり傾斜面４２又は左下がり傾斜面４３から転動してきた遊技球を外部に排出するとともに当該遊技球の通過を検知する検知部（例えば、磁気スイッチ）を有する左入賞検知手段４６と、右下がり傾斜面４４の右方に配され、後下がり傾斜面４２又は右下がり傾斜面４４から転動してきた遊技球を外部に排出するとともに当該遊技球の通過を検知する検知部（例えば、磁気スイッチ）を有する右入賞検知手段４７とを備える。
【００１９】
次に、上記のように構成される入賞装置の動作を説明する。
(1)非作動時（図３、図５、図７、図１０）
入賞装置１００が非作動状態のとき、開閉扉駆動機構４８の電動モータ２１は初期状態にあり、開閉扉１３は図７に示す状態つまり起立した鉛直状態に保持される。また、入賞装置１００が非作動状態のとき、可動釘駆動機構４９の電磁ソレノイド３５は初期状態つまりプランジャー３６が前進した状態にあり、可動釘３１は図３及び図５に示す状態つまり起立した鉛直状態に保持される。
【００２０】
このため、可動釘３１は、開閉扉１３の縦溝１６内に収容され縦溝１６を塞いだ状態となり、正面プレート１１の入賞口１２は、図１０に示すように、開閉扉１３と可動釘３１によって閉状態に保持され、遊技球の入賞口１２への入球は禁止される。
(2)第１入賞パターン（図４、図６、図８、図１１）
入賞装置１００が非作動状態にあるときに、開閉扉駆動機構４８の電動モータ２１の出力軸２１ａを第１所定角度θだけ正転すると、この出力軸２１ａの正転に伴い、第２大径ギヤ２０及び第１大径ギヤ１９を介して小径ギヤ１８が前方へ約９０°回動する。この小径ギヤ１８の前方への回動に伴い、開閉扉１３は前方へ約９０°回動し、図８に示すように略水平状態に変移する。
【００２１】
また、入賞装置１００が非作動状態にあるときに、可動釘駆動機構４９の電磁ソレノイド３５に通電すると、プランジャー３６は所定ストロークだけ後退し、このプランジャー３６の後退に伴い、駆動カム３４の係合部３４ｃが軸部３４ｂを中心に後方へ回動する。この係合部３４ｃの後方への回動に伴い、押圧部３４ａも後方へ回動し、受動カム３３の受圧部３３ａは後方つまり図５において反時計方向へ回動可能となり、可動釘３１は自重によって前方へ約９０°回動し、図４及び図６に示すように略水平状態に変移する。
【００２２】
したがって、入賞装置１００が非作動状態にあるときに、電動モータ２１を第１所定角度θだけ正転するとともに電磁ソレノイド３５に通電すると、開閉扉１３及び可動釘３１はそれぞれ前方へ約９０°回動して略水平状態に変移し、可動釘３１は開閉扉１３の縦溝１６内に収容された状態となり、正面プレート１１の入賞口１２は、図１１に示すように、開閉扉１３及び可動釘３１によって開状態に変移する。このため、遊技球は開状態の開閉扉１３によって受止められ、開閉扉１３によって受止められた遊技球の大部分は、入賞口１２の内部へと誘導されるようになる。
【００２３】
(3)  第２入賞パターン（図４、図６、図９、図１２）
入賞装置１００が非作動状態にあるときに、開閉扉駆動機構４８の電動モータ２１の出力軸２１ａを所定角度２θ（厳密には約２θ）だけ正転すると、この出力軸２１ａの正転に伴い、第２大径ギヤ２０及び第１大径ギヤ１９を介して小径ギヤ１８が前方へ約１８０°回動する。この小径ギヤ１８の前方への回動に伴い、開閉扉１３は前方へ約１８０°回動し、図９に示すように倒伏した鉛直状態（正面プレート１１の凹部１４に収容された状態）に変移する。
【００２４】
また、入賞装置１００が非作動状態にあるときに、可動釘駆動機構４９の電磁ソレノイド３５に通電すると、プランジャー３６は所定ストロークだけ後退し、このプランジャー３６の後退に伴い、駆動カム３４の係合部３４ｃが軸部３４ｂを中心に後方へ回動する。この係合部３４ｃの後方への回動に伴い、押圧部３４ａも後方へ回動し、受動カム３３の受圧部３３ａは後方つまり図５において反時計方向へ回動可能となり、可動釘３１は自重によって前方へ約９０°回動し、図４及び図６に示すように略水平状態に変移する。
【００２５】
したがって、入賞装置１００が非作動状態にあるときに、電動モータ２１を所定角度２θだけ正転するとともに電磁ソレノイド３５に通電すると、開閉扉１３は前方へ約１８０°回動して倒伏した鉛直状態に変移し、可動釘３１は前方へ約９０°回動して略水平状態に変移する。このため、正面プレート１１の入賞口１２は、図１２に示すように、開閉扉１３及び可動釘３１によって開状態に変移するが、可動釘３１のみが略水平状態となり開閉扉１３は水平状態ではないことから、第１入賞パターンより入球しにくい状態となり、遊技球が可動釘３１に当たる角度によって、遊技球が可動釘３１で受止められて入賞口１２の内部に誘導される場合と、遊技球が可動釘３１で跳ね返されて入賞口１２の内部に誘導されない場合が発生する。このような遊技状態は、遊技者を一喜一憂させることになる。
【００２６】
次に、パチンコ遊技機の電気系統を図１３に基づいて説明する。
【００２７】
図１３において、電気系統は遊技制御基板５０を中枢部とし、遊技制御基板５０に演出制御基板５１、払出制御基板５２及び盤用外部情報端子基板５３が接続され、演出制御基板５１に画像制御基板５４及びランプ制御基板５５が接続され、払出制御基板５２に枠用外部情報端子基板５６が接続される。遊技制御基板５０、演出制御基板５１、払出制御基板５２、画像制御基板５４及びランプ制御基板５５は、それぞれ、CPU、ROM、RAM、I/Oなどを備える。
【００２８】
遊技制御基板５０に、遊技球が始動入賞口６A、６Bに入賞したことを検出する始動口スイッチ５７A、５７B、普通図柄表示器９の変動表示数字が所定の数字で表示停止したとき、始動入賞口６Bを開放駆動する始動口ソレノイド５８、始動口ソレノイド５８を動作させる契機として遊技球がゲート５A及び５Bをそれぞれ通過したことを検出するゲートスイッチ５９A及び５９B、開閉扉１３の開放時に遊技球が大入賞口（入賞口）１２に入賞したことを検出する大入賞口スイッチ（左入賞検知手段４６、右入賞検知手段４７）、電動モータ２１、電磁ソレノイド３５、遊技球が普通入賞口４A及び４Bにそれぞれ入賞したことを検出する普通入賞口スイッチ６０A及び６０B、保留球数を表示する保留ランプ８、遊技球がゲート５A、５Bを通過することが契機となって数字が変動表示される普通図柄表示器９、画像表示装置３による演出と同期して特別図柄を変動表示する特別図柄表示器１０がそれぞれ接続される。普通図柄表示器９に所定の数字が変動停止したとき、始動口ソレノイド５８が動作して始動入賞口６Bが所定時間開放する。
【００２９】
払出制御基板５２に、賞球を払出す賞球払出装置の駆動源である払出駆動モータ６１、賞球払出装置により払い出された遊技球を検出する払出球検出スイッチ６２、賞球払出装置に供給すべき遊技球が有ることを検出する球有り検出スイッチ６３、球発射装置に供給される遊技球を貯留する球貯留皿が、払い出された遊技球によって満杯になったことを検出する満タン検出スイッチ６４がそれぞれ接続される。
【００３０】
画像制御基板５４に、画像表示装置３などが接続される。
【００３１】
次に、遊技制御基板５０が実行する大入賞口処理及び大入賞口スイッチ処理を図１４〜図１７に基づいて順に説明する。
(1)大入賞口処理（図１４〜図１６）
図１４〜図１６において、遊技制御基板５０は、まず、大当たり中（特別遊技状態中）であるか否かを判定し（ステップS1）、大当たり中である場合、オープニング中であるか否かを判定する（ステップS2）。ここで、オープニング中とは、大当たりが発生してから大当たりの第１ラウンドが開始されるまでの期間をいう。
【００３２】
大当たり発生直後では、オープニング中となるため、次に、オープニング時間つまり、大当たり発生時点から大当たりの第１ラウンドの開始時点までの時間が経過したか否かを判定する（ステップS3）。
【００３３】
オープニング時間経過前は、ステップS1、ステップS2及びステップS3を繰り返し実行する。
【００３４】
その後、オープニング時間が経過すると、ラウンド数Rを「１」だけ加算する（ステップS4）。オープニング時間経過直後においては、それまでのラウンド数Rが「０」であるため、ステップS4における加算後のラウンド数Rは「１」となる。次に、入賞口１２への入賞個数Cを「０」にクリアした後（ステップS5）、特別遊技状態ラウンド数（大当たりラウンド数）Rが所定数例えば「１１」以上になったか否かを判定する（ステップS6）。この時点では大当たりラウンド数Rは「１」であるため、ステップS6の判定結果は「NO」となり、次に、電磁ソレノイド３５に通電し（ステップS7）、電動モータ２１を第１所定角度θだけ正転する（ステップS8）。
【００３５】
電磁ソレノイド３５に通電するとともに電動モータ２１を第１所定角度θだけ正転すると、入賞装置１００は上述した第１入賞パターンの状態となり、遊技球は開状態の開閉扉１３によって受止められ、開閉扉１３によって受止められた遊技球の大部分は、入賞口１２の内部へと誘導されるようになる。
【００３６】
次に、予め設定した開放時間つまり、入賞口１２が開放状態を持続することができる時間が経過したか否かを判定する（ステップS9）。
【００３７】
入賞口１２が開放状態へ変移した直後においては、ステップS9の判定結果は「NO」となるため、次に、入賞口１２への入賞個数Cが所定値「９」であるか否かを判定し（ステップS10）、この判定結果は「NO」であることから、ステップS1に戻り、次にステップS2を実行する。ステップS2の判定結果は、この時点では既にオープニング中ではなくなっているため「NO」となり、次に入賞口１２が開放中であるか否かを判定し（ステップS11）、この判定結果が「YES」であることから、ステップS9に移行する。以後、ステップS9〜ステップS11、ステップS1、ステップS2を繰り返し実行する。
【００３８】
ステップS9〜ステップS11、ステップS1、ステップS2を繰り返し実行している間、入賞口１２に遊技球が入賞するたびに、換言すると、大入賞口スイッチ４７A又は４７Bが遊技球を検知するたびに、入賞個数Cは、「１」、「２」、‥と増加してゆく。なお、この入賞個数Cのカウントは、後述する大入賞口スイッチ処理において説明する。そして、入賞個数Cが「９」になると、ステップS10の判定結果は「YES」となり、あるいは、入賞個数Cが「９」になる前に開放時間が経過すると、ステップS9の判定結果は「YES」となり、ラウンド数Rが所定数「１１」以上に達したか否かを判定する（ステップS12）。この時点では、ラウンド数Rは「１」であるため、ステップS12の判定結果は「NO」となり、電磁ソレノイド３５への通電を停止し（ステップS13）、電動モータ２１を第１所定角度θだけ逆転させる（ステップS14）。
【００３９】
電磁ソレノイド３５への通電停止により、プランジャー３６は内蔵スプリング（図示せず。）によって所定ストロークだけ前進して元の位置まで変位し、このプランジャー３６の前進に伴い、駆動カム３４の係合部３４ｃが軸部３４ｂを中心に前方へ回動する。この係合部３４ｃの前方への回動に伴い、押圧部３４ａも前方へ回動し、この押圧部３４ａの回動により受動カム３３の受圧部３３ａは前方つまり図６において時計方向へ回動し、可動釘３１は後方へ約９０°回動し、図３及び図５に示すように格納状態に変移する。
【００４０】
また、電動モータ２１を第１所定角度θだけ逆転させると、第２大径ギヤ２０及び第１大径ギヤ１９を介して小径ギヤ１８が後方へ約９０°回動する。この小径ギヤ１８の後方への回動に伴い、開閉扉１３は後方へ約９０°回動し、図７に示すように格納状態に変移する。
【００４１】
したがって、電磁ソレノイド３５への通電を停止するとともに電動モータ２１を第１所定角度θだけ逆転させると、入賞装置１００は、上述した非作動時の状態に戻る。
【００４２】
ステップS14を実行した後は、大当たり発生時の停止図柄が所定図柄A、B、Cのうちのいずれの図柄であるかを判定し（ステップS15,S16）、停止図柄がAである場合は、大当たりラウンド数Rが所定数「５」に達したか否かを判定し（ステップS17）、停止図柄がBである場合は、大当たりラウンド数Rが所定数「１０」に達したか否かを判定し（ステップS18）、停止図柄がCである場合は、大当たりラウンド数Rが所定数「１５」に達したか否かを判定する（ステップS19）。この時点では、第１ラウンドが終了した直後であり、大当たりラウンド数Rは「１」であるため、ステップS17,S18,S19のいずれのステップであっても判定結果は「NO」となり、次にステップS1に戻る。
【００４３】
ステップS1に戻った後は、ステップS1、ステップS2を経た後ステップS11を実行し、この時点では入賞口１２は開放中ではないためステップS11の判定結果は「NO」となり、次にエンディング中であるか否かを判定する（ステップS20）。ここで、エンディング中とは、大当たりラウンド数R（本実施形態では、停止図柄がAの場合は「５」、停止図柄がBの場合は「１０」、停止図柄がCの場合は「１５」に設定されている。）が終了した後に画像表示装置３において大当たり終了演出が行われているときをいう。
【００４４】
この時点では、第１ラウンドの終了直後であることからステップS20の判定結果は「NO」となり、次にインターバル時間が経過したか否かを判定する（ステップS21）。ここで、インターバル時間とは、入賞口１２が閉口した時点から次のラウンドを開始させるべく入賞口１２を開放する時点までの、予め設定した遅延時間をいう。この時点では入賞口１２が閉口した直後であるため、ステップS21の判定結果は「NO」となり、ステップS1に戻る。
【００４５】
ステップS1に戻った後は、インターバル時間が経過する前においては、ステップS1、ステップS2、ステップS11、ステップS20及びステップS21を繰り返し実行する。
【００４６】
その後、インターバル時間が経過すると、ステップS21の判定結果は「YES」となり、次にラウンド数Rを「１」だけ加算し、ラウンド数Rを「２」にし（ステップS4）、入賞個数Cを「０」にクリアし（ステップS5）、ラウンド数Rが所定数「１１」以上に達したか否かを判定する（ステップS6）。この時点ではラウンド数Rは「２」であるため、ステップS6の判定結果は「NO」となり、電磁ソレノイド３５に通電し（ステップS7）、電動モータ２１を所定角度θだけ正転する（ステップS8）。これにより、入賞装置１００は上述した第１入賞パターンの状態に変移し、第２ラウンドが開始される。
【００４７】
第２ラウンドにおいても、上述した第１ラウンドにおける処理と同様な処理が行われ、入賞個数Cが「９」に達したとき、あるいは、入賞個数Cが「９」に達する前に開放時間が経過したとき、電磁ソレノイド３５への通電を停止して可動釘３１を格納状態に変位させ（ステップS13）、電動モータ２１を第１所定角度θだけ逆転して開閉扉１３を格納状態に変位させ（ステップS14）、入賞装置１００を上述した非作動時の状態に変移させる。
【００４８】
ステップS13及びステップS14の実行後は、第１ラウンドが終了したときと同様な処理が行われ、インターバル時間の経過を待って第３ラウンドが開始される。
【００４９】
以後、大当たり発生時の停止図柄がAの場合は、第３ラウンド、第４ラウンド、第５ラウンドが行われ、第５ラウンドが終了すると、ステップS17の判定結果は「YES」に反転し、ラウンド数Rを「０」にクリアし（ステップS22）、エンディングが開始される（ステップS23）。その後、エンディング時間が経過すると（ステップS24）、エンディングを終了し、大当たりを終了する（ステップS25）。
【００５０】
また、大当たり発生時の停止図柄がBの場合は、第３ラウンド、第４ラウンド、‥‥第１０ラウンドが行われ、第１０ラウンドが終了すると、ステップS18の判定結果は「YES」に反転し、ラウンド数Rを「０」にクリアし（ステップS22）、エンディングが開始される（ステップS23）。その後、エンディング時間が経過すると（ステップS24）、エンディングを終了し、大当たりを終了する（ステップS25）。
【００５１】
また、大当たり発生時の停止図柄がCの場合は、第３ラウンド、第４ラウンド、‥‥第１０ラウンドが行われ、第１０ラウンドが終了してラウンド数Rが所定数「１１」に達すると、ステップS6の判定結果は「YES」に反転し、電磁ソレノイドに通電し（ステップS26）、電動モータ２１を第２所定角度２θだけ正転する（ステップS27）。
【００５２】
電磁ソレノイド３５に通電するとともに電動モータ２１を第２所定角度２θだけ正転することにより、入賞装置１００は上述した第２入賞パターンの状態に変移し、遊技球が可動釘３１に当たる角度によって、遊技球が可動釘３１で受止められて入賞口１２の内部に誘導される場合と、遊技球が可動釘３１で跳ね返されて入賞口１２の内部に誘導されない場合が発生し、遊技者を一喜一憂させることになる。
【００５３】
そして、第１１ラウンドにおいて、ステップS10の判定結果が「YES」となり、あるいは、ステップS9の判定結果が「YES」となると、ラウンド数Rが所定数「１１」以上に達したか否かを判定する（ステップS12）。この時点では、ラウンド数Rは「１１」であるため、ステップS12の判定結果は「YES」となり、電磁ソレノイド３５への通電を停止し（ステップS28）、電動モータ２１を第２所定角度２θだけ逆転させる（ステップS29）。これにより、入賞装置１００は非作動時の状態に戻る。
【００５４】
その後、入賞装置１００が第２入賞パターンの状態で第１２ラウンド、第１３ラウンド、‥‥、第１５ラウンドが行われ、第１５ラウンドが終了すると、ステップS19の判定結果は「YES」となり、ラウンド数Rが「０」にクリアされ（ステップS22）、エンディングが開始される（ステップS23）。その後、エンディング時間が経過すると（ステップS24）、エンディングを終了し、大当たりを終了する（ステップS25）。
【００５５】
(2)大入賞口スイッチ処理（図１７）
図１７において、遊技制御基板５０は、大入賞口スイッチ（左入賞検知手段４６又は右入賞検知手段４７）がオンすると（ステップS31）、大当たり中のときは入賞個数Cを「１」だけ加算し（ステップS32、ステップS33）、賞球１５個コマンドをセットし払出制御基板５２に送信する（ステップS34）。賞球１５個コマンドを受信した払出制御基板５２は、払出駆動モータ６１に指令信号を出力し、払出駆動モータ６１が駆動されて１５個分の賞球が払出される。
【００５６】
以上説明したように、本実施形態のパチンコ遊技機は、入賞装置１００と遊技制御基板５０とを備えるパチンコ遊技機において、入賞装置１００は、入賞口１２と、複数の縦溝１６を有し、入賞口１２の下端（水平軸部１７）を回転軸として前後方向へ回動し、入賞口１２を開閉する開閉扉１３と、開閉扉１３を駆動する開閉扉駆動機構４８と、開閉扉１３の縦溝１６内を通過可能に構成され、入賞口１２の下端（水平軸３２）を回転軸として前後方向へ回動する可動釘３１と、可動釘３１を駆動する可動釘駆動機構４９とを備え、遊技制御基板５０は、特別遊技状態のラウンド数に応じて、第１入賞パターンであって、可動釘３１を開閉扉１３の縦溝１６内に収容して開閉扉１３及び可動釘３１を共に略水平状態に維持し、開状態の入賞口１２へ遊技球が入球しやすい第１入賞パターン、又は、第２入賞パターンであって、可動釘３１を開閉扉１３の縦溝１６内から離脱し、開閉扉１３を倒伏した略鉛直状態に維持しかつ可動釘３１を略水平状態に維持し、開状態の入賞口１２へ遊技球が入球しにくい第２入賞パターンを生成するよう開閉扉駆動機構４８及び可動釘駆動機構４９を制御する。
【００５７】
本実施形態によると、従来と同様な第１入賞パターンのほかに、第１入賞パターンより入球しにくい第２入賞パターンを生成し、第２入賞パターンにおいては、開閉扉１３が開いていても、水平状態の可動釘３１に遊技球が当たる角度によって、遊技球が可動釘３１で受止められ入賞口１２の内部に誘導される場合と、遊技球が可動釘３１で跳ね返され入賞口１２の内部に誘導されない場合を発生させることができるため、開閉扉１３が開いていても遊技球が入賞口１２に入球できるかどうか不明な状況をつくり、遊技者を一喜一憂させることができる。
【００５８】
なお、上述した実施形態では、大当たり発生時の第１ラウンド〜第１０ラウンドは第１入賞パターンで、第１１ラウンド〜第１５ラウンドは第２入賞パターンでそれぞれ入賞装置１００を制御するよう構成したが、他の例として、第１ラウンド〜第５ラウンドは第２入賞パターンで、第６ラウンド〜第１５ラウンドは第１入賞パターンでそれぞれ入賞装置１００を制御するよう構成してもよい。
【図面の簡単な説明】
【００５９】
【図１】本発明の一実施形態に係るパチンコ遊技機の遊技盤の正面図である。
【図２】入賞装置の分解斜視図である。
【図３】入賞装置の可動釘及び可動釘駆動機構の斜視図であって、可動釘が非作動状態であるときの斜視図である。
【図４】入賞装置の可動釘及び可動釘駆動機構の斜視図であって、可動釘が作動状態つまり略水平状態であるときの斜視図である。
【図５】入賞装置の可動釘及び可動釘駆動機構の側面図であって、可動釘が非作動状態であるときの側面図である。
【図６】入賞装置の可動釘及び可動釘駆動機構の側面図であって、可動釘が作動状態つまり略水平状態であるときの側面図である。
【図７】入賞装置の開閉扉及び開閉扉駆動機構の斜視図であって、開閉扉が非作動状態つまり閉状態であるときの斜視図である。
【図８】入賞装置の開閉扉及び開閉扉駆動機構の斜視図であって、開閉扉が略水平状態であるときの斜視図である。
【図９】入賞装置の開閉扉及び開閉扉駆動機構の斜視図であって、開閉扉が倒伏した略鉛直状態であるときの斜視図である。
【図１０】入賞装置が非作動状態であるときの可動釘及び開閉扉の状態を示す斜視図である。
【図１１】入賞装置が第１入賞パターンであるときの可動釘及び開閉扉の状態を示す斜視図である。
【図１２】入賞装置が第２入賞パターンであるときの可動釘及び開閉扉の状態を示す斜視図である。
【図１３】パチンコ遊技機の電気系統のブロック図である。
【図１４】遊技制御基板が実行する大入賞口処理の一部のフローチャートである。
【図１５】同大入賞口処理の残りの一部のフローチャートである。
【図１６】同大入賞口処理の残部のフローチャートである。
【図１７】遊技制御基板が実行する大入賞口スイッチ処理のフローチャートである。
【符号の説明】
【００６０】
１２    入賞口
１３    開閉扉
１６    縦溝
３１    可動釘
４８    開閉扉駆動機構
４９    可動釘駆動機構
５０    遊技制御基板
１００    入賞装置
【図１】
0004691129.tif 000002
【図２】
0004691129.tif 000003
【図３】
0004691129.tif 000004
【図４】
0004691129.tif 000005
【図５】
0004691129.tif 000006
【図６】
0004691129.tif 000007
【図７】
0004691129.tif 000008
【図８】
0004691129.tif 000009
【図９】
0004691129.tif 000010
【図１０】
0004691129.tif 000011
【図１１】
0004691129.tif 000012
【図１２】
0004691129.tif 000013
【図１３】
0004691129.tif 000014
【図１４】
0004691129.tif 000015
【図１５】
0004691129.tif 000016
【図１６】
0004691129.tif 000017
【図１７】
0004691129.tif 000018